(57)【要約】【課題】カバーを筐体の本体に容易に取り付けられるようにした分電盤を提供する。【解決手段】分電用の機器を収納する筐体の本体１６１Ａがカバー１６１Ｂによって開閉自在かつ着脱自在に覆われてなる分電盤にあって、本体１６１Ａには、係止部１６１ｃが設けられる一方、カバー１６１Ｂには、本体１６１Ａの係止部１６１ｃに係脱自在かつ回動自在に係止される被係止部１６１ｄが設けられ、かつ、係止部１６１ｃには、カバー１６１Ｂを本体１６１Ａに取り付ける際に前記カバー１６１Ｂを前記本体１６１Ａに対して位置決めするための位置決め部分ｃｔが設けられる。【選択図】  図３
2006081307.tif 000002
【特許請求の範囲】
【請求項１】
分電用の機器を収納する筐体（１６１）の本体（１６１Ａ）がカバー（１６１Ｂ）によって開閉自在かつ着脱自在に覆われてなる分電盤（１６０）であって、
前記本体（１６１Ａ）には、係止部（１６１ｃ）が設けられる一方、前記カバー（１６１Ｂ）には、前記本体（１６１Ａ）の係止部（１６１ｃ）に係脱自在かつ回動自在に係止される被係止部（１６１ｄ）が設けられ、かつ、前記係止部（１６１ｃ）には、前記カバー（１６１Ｂ）を前記本体（１６１Ａ）に取り付ける際に前記カバー（１６１Ｂ）を前記本体（１６１Ａ）に対して位置決めするための位置決め部分（ｃｔ）が設けられることを特徴とする分電盤。
【請求項２】
前記係止部（１６１ｃ）は、前記本体（１６１Ａ）の上部に設けられる一方、前記被係止部（１６１ｄ）は、前記カバー（１６１Ｂ）の上部に設けられ、
前記筐体（１６１）の下部には、前記カバー（１６１Ｂ）を前記本体（１６１Ａ）に対して閉状態でロックするロック部材（１６１Ｘ）が設けられることを特徴とする請求項１に記載の分電盤。
【請求項３】
前記被係止部（１６１ｄ）は、横方向に形成された横辺部分（ｄｘ）と、その外側に縦方向に形成された縦辺部分（ｄｙ）とを有し、前記係止部（１６１ｃ）は、横方向に形成された横辺部分（ｃｘ）と、外側が縦方向に先細り状に面取りされて前記縦辺部分（ｄｙ）の内側に摺接して前記位置決め部分（ｃｔ）として機能するテーパー辺部分と、を有することを特徴とする請求項１又は２に記載の分電盤。
【発明の詳細な説明】
【技術分野】
【０００１】
本発明は、住宅用等として用いられる分電盤に係り、特に、カバーを本体に対して容易に取り付けられるようした分電盤に関する。
【背景技術】
【０００２】
導体装置で接続した主幹ブレーカと複数の分岐ブレーカを筐体内に収納した住宅用の分電盤は公知である（例えば、特許文献１参照）。図７は分電盤の本体１６１Ａとカバー１６１Ｂの水平状態の対応図を示し、この例では、筐体１６１の本体１６１Ａが、開閉自在かつ着脱自在なカバー１６１Ｂによって覆われるように構成され、カバー１６１Ｂを取り外すことによって、本体１６１Ａに取り付けてある主幹ブレーカや分岐ブレーカ、導体装置等を点検することができるようになっている。
【０００３】
その本体１６１Ａの上端には、一対の係止部１６１ｃが設けられ、この係止部１６１ｃに対して、カバー１６１Ｂを半開き状態として、その裏側上端に設けた一対の被係止部１６１ｄを上方から落とし込むようにして係止させて、そのカバー１６１Ｂを閉じ方向に押し込むと、カバー１６１Ｂの裏側下端に設けたラッチ爪（図示省略）が、本体１６１Ａの下部に設けた一対の爪受（図示省略）にラッチすることで、カバー１６１Ｂが閉状態にロックされるようになっている。そして、カバー１６１Ｂの前面に設けた操作片（図示省略）を操作してラッチを解除すれば、カバー１６１Ｂを取り外すことができるようになっていた。
【０００４】
【特許文献１】特開平２００４−１６６３８５号公報
【発明の開示】
【発明が解決しようとする課題】
【０００５】
しかしながら、図７に示す従来の分電盤１６０は、図示のように、本体１６１Ａの上端に設けられた係止部１６１ｃの両端が直角に切り落とされているため、カバー１６１Ｂの両方の被係止部１６１ｄを、本体１６１Ａの係止部１６１ｃに係止させるためには、本体１６１Ａに対してカバー１６１Ｂをほぼ正確に位置決めしなければならなかった。
【０００６】
ところが、住宅においても、通常、分電盤は、高い場所に設けられているため、上述のように、カバー１６１Ｂを取り付ける際に、本体１６１Ａに対してカバー１６１Ｂをほぼ正確に位置決めするのは容易ではなく、カバー取付時の作業性がよくなかった。
【０００７】
本発明は、このような実情に鑑みてなされ、カバーを筐体の本体に容易に取り付けられるようにした分電盤を提供することを目的とする。
【課題を解決するための手段】
【０００８】
（１）本発明の分電盤は、分電用の機器を収納する筐体１６１の本体１６１Ａがカバー１６１Ｂによって開閉自在かつ着脱自在に覆われてなる分電盤１６０にあって、
前記本体１６１Ａには、係止部１６１ｃが設けられる一方、前記カバー１６１Ｂには、前記本体１６１Ａの係止部１６１ｃに係脱自在かつ回動自在に係止される被係止部１６１ｄが設けられ、かつ、前記係止部１６１ｃには、前記カバー１６１Ｂを前記本体１６１Ａに取り付ける際に前記カバー１６１Ｂを前記本体１６１Ａに対して位置決めするための位置決め部分ｃｔが設けられることを特徴とする。
【０００９】
このような構成によれば、カバー１６１Ｂの被係止部１６１ｄを、本体１６１Ａの係止部１６１ｃに係止させる際に、その係止部１６１ｃに設けられている位置決め部分ｃｔによってカバー１６１Ｂが本体１６１Ａに対して位置決めされるため、カバー１６１Ｂの取り付け作業が容易となる。
【００１０】
（２）前記係止部１６１ｃは、前記本体１６１Ａの上部に設けられる一方、前記被係止部１６１ｄは、前記カバー１６１Ｂの上部に設けられ、前記筐体１６１の下部には、前記カバー１６１Ｂを前記本体１６１Ａに対して閉状態でロックするロック部材１６１Ｘが設けられてもよい。このようにすれば、カバー１６１Ｂを本体１６１Ａに対して閉状態でロックすることができる。
【００１１】
（３）前記被係止部１６１ｄは、横方向に形成された横辺部分ｄｘと、その外側に縦方向に形成された縦辺部分ｄｙとを有し、前記係止部１６１ｃは、横方向に形成された横辺部分ｃｘと、外側が縦方向に先細り状に面取りされて前記縦辺部分ｄｙの内側に摺接して前記位置決め部分ｃｔとして機能するテーパー辺部分と、を有してもよい。このようにすれば、位置決め部分ｃｔとして機能するテーパー辺部分によって、縦辺部分ｄｙをガイドさせることでカバー１６１Ｂの横ずれを吸収して正確に位置決めすることができる。
【発明の効果】
【００１２】
本発明の分電盤は、カバーの被係止部を係脱自在かつ回動自在に係止させる本体の係止部に位置決め部分を設けているので、カバーの被係止部を、本体の係止部に係止させる際に、その係止部に設けられている位置決め部分によってカバーが本体に対して位置決めされるため、カバーの取り付け作業が容易となる。
【発明を実施するための最良の形態】
【００１３】
以下に、本発明の最良の実施の形態に係る分電盤について図面を参照しつつ詳細に説明する。
【００１４】
図１は、分電盤１６０の筐体１６１の本体１６１Ａの平面図、図２は、カバー１６１Ｂの裏側から見た斜視図、図３は、本体１６１Ａとカバー１６１Ｂの組み付け対応図、図４は分電盤１６０の正面図である。これらの図に示すように、分電盤１６０は、主幹ブレーカ１４０と分岐ブレーカ１５０を収納する筐体１６１の本体１６１Ａが、カバー１６１Ｂによって開閉自在かつ着脱自在に覆われるように構成される。なお、図１にて、符号１４２は絶縁性素材で形成された感電防止カバー、１４０ＳＷは主幹ブレーカ１４０のスイッチ、１５０ＳＷは分岐ブレーカ１５０のスイッチである。
【００１５】
その本体１６１Ａの上端には、一対の係止部１６１ｃが設けられ、下端には、一対の爪受１６１ｄが設けられる一方、カバー１６１Ｂの裏側上端には、本体１６１Ａの一対の係止部１６１ｃに係脱自在かつ回動自在に係止される被係止部１６１ｄが設けられている。また、カバー１６１Ｂの裏側下端には、本体１６１Ａの一対の爪受１６１ｄにラッチする摺動自在でラッチ方向に付勢されたラッチ爪１６１ｅが設けられ、その一対の係止部１６１ｃには、カバー１６１Ｂを本体１６１Ａに取り付ける際の閉動作時にカバー１６１Ｂを本体１６１Ａに対して位置決めするための位置決め部分ｃｔが設けられている。なお、爪受１６１ｄとラッチ爪１６１ｅによって本発明のロック部材１６１Ｘが構成される。
【００１６】
一対の被係止部１６１ｄは、図２に示すように、横方向に形成された横辺部分ｄｘと、その外側に縦方向に形成された縦辺部分ｄｙとを有し、一対の係止部１６１ｃは、図１に示すように、横方向に形成された横辺部分ｃｘと、外側が縦方向に先細り状に面取りされて縦辺部分ｄｙの内側に摺接して位置決め部分として機能するテーパー辺部分ｃｔと、を有している。このような構成により、カバー１６１Ｂの被係止部１６１ｄを、本体１６１Ａの係止部１６１ｃに上方から落とし込むようにして係止させると、その係止部１６１ｃに設けられている位置決め部分ｃｔによってカバー１６１Ｂが本体１６１Ａに対して位置決めされるため、カバー１６１Ｂの取り付け作業が容易となる。
【００１７】
より詳しく説明すると、このようなカバー１６１Ｂを本体１６１Ａに取り付けるには、カバー１６１Ｂを半開き状態として本体１６１Ａに対応させ、その裏側上端に形成されている被係止部１６１ｄの横辺部分ｄｘを、本体１６１Ａの上端に形成されている係止部材１６１ｃの横辺部分ｃｘに係止させて上方から落とし込むようにしてカバー１６１Ｂを閉じれば、図３の部分拡大図に示すように、被係止部１６１ｄの縦辺部分ｄｙが、係止部１６１ｃのテーパー辺部分ｃｔに対して、その横幅ｄだけ位置ずれしていても、その縦辺部分ｄｙをテーパー辺部分ｃｔによってガイドさせることができるため、カバー１６１Ｂが本体１６１Ａに対して位置決めされ、しかる後に、その裏側下端のラッチ爪１６１ｅが、本体１６１Ａに設けられている爪受１６１ｄにラッチされロック状態となる。つまり、カバー１６１Ｂが本体１６１Ａに対してテーパー辺部分ｃｔの横幅ｄだけ位置ずれ吸収代があるため、カバー１６１Ｂを本体１６１Ａに対して容易に位置決めすることができ、その取り付け作業が容易となる。
【００１８】
図５は、感電防止カバー１４２を取り外した状態の本体１６１Ａ内のレイアウトの一例を示し、符号１４０は主幹ブレーカ、１５０は分岐ブレーカ、１００は主幹ブレーカ１４０と分岐ブレーカ１５０を電気的に接続するための導体装置で、その第１の電圧相の導体、中性相の導体及び第２の電圧相の導体の３つの端子部１１１ａ，１１２ａ，１１３ａが、それぞれ接続導体１４０Ａ，１４０Ｂ，１４０Ｃを介して主幹ブレーカ１４０の接続端子１４０ａ，１４０ｂ，１４０ｃに接続されている。また、中性相の導体の端子部１１２ａには、主幹ブレーカ１４０から延出されている過電圧検出リード線１４０ｅが接続されている。なお、本体１６１Ａの上部には、壁面等に固定するためのボルト孔１６１ｇが開設されている。また、１４０ＳＷは主幹ブレーカ１４０のスイッチ、１５０ＳＷは分岐ブレーカ１５０のスイッチである。
【００１９】
図６は、導体装置１００の一例を示す斜視図で、この導体装置１００は、分電盤１６０の筐体１６１の本体１６１Ａに固定される設置ブロック１０１と、第１の電圧相の導体１１１と中性相の導体１１２と第２の電圧相の導体１１３とを絶縁状態で仮保持した状態にて設置ブロック１０１に嵌合保持される絶縁ブロック１０２と、を備えており、その絶縁ブロック１０２には、複数の絶縁スペース１０３が画成され、各絶縁スペース１０３の間には、前記導体１１１，１１２，１１３の各接続部を挿入させる取付部１０４が配設され、各接続部が分岐ブレーカ１５０の接続端子１５０ｄに接続される（図５参照）。そして、絶縁ブロック１０２の両側上縁には、感電防止カバー１４２を着脱自在に取り付けるための係止突片１０２ｅが複数対（例えば５対）形成されている。
【００２０】
感電防止カバー１４２には、図１に拡大して示すように、絶縁ブロック１０２の係止突片１０２ｅに被嵌状態に係止させるための係止孔１４２ｅが形成されており、導体装置１００による主幹ブレーカ１４０と分岐ブレーカ１５０の接続が終了した時点で、感電防止カバー１４２の係止孔１４２ｅを、絶縁ブロック１０２の係止突片１０２ｅに押込み係止させれば、感電防止カバー１４２を着脱自在な状態で取り付けることができる。図示の例では、感電防止カバー１４２は、導体装置１００の全体と、主幹ブレーカ１４０の接続端子１４０ａ，１４０ｂ，１４０ｃ、及び、接続導体１４０Ａ，１４０Ｂ，１４０Ｃを覆い、感電の完全防止が図られる。なお、１４２ｆは電圧測定用の孔を示す。また、感電防止カバー１４２はボルト締結等によって取り付けられてもよい。
【００２１】
なお、本発明は、実施の形態に限定されることなく、発明の要旨を逸脱しない限りにおいて、適宜、必要に応じて、改良や設計変更は自由であり、例えば、係止部１６１ｃと被係止部１６１ｄは、単一対が設けられてもよく、３対が設けられてもよく、それ以上設けられてもよい。また、ロック部材１６１Ｘは、その他の係合手段や係止手段、凹凸嵌合手段、ボルト締結等であってもよい。
【図面の簡単な説明】
【００２２】
【図１】本発明の実施の形態に係る分電盤の筐体の本体の平面図である。
【図２】同カバーを裏側から見た斜視図である。
【図３】同筐体の本体とカバーの対応図である。
【図４】同分電盤の正面図である。
【図５】同感電防止カバーを取り除いた状態の筐体の本体の平面図である。
【図６】同導体装置の斜視図である。
【図７】同従来の分電盤の筐体の本体とカバーの対応図の一例である。
【符号の説明】
【００２３】
１６１…筐体、１６１Ａ…本体、１６１Ｂ…カバー、１６１ｃ…係止部、１６１ｄ…被係止部、ｃｔ…位置決め部分、１６１Ｘ…ロック部材、ｃｘ…横辺部分、ｃｔ…テーパー辺部分、ｄｘ…横辺部分、ｄｙ…縦辺部分
【図１】
2006081307.tif 000003
【図２】
2006081307.tif 000004
【図３】
2006081307.tif 000005
【図４】
2006081307.tif 000006
【図５】
2006081307.tif 000007
【図６】
2006081307.tif 000008
【図７】
2006081307.tif 000009